(57)【要約】【課題】防犯を提供するための方法および装置を提供する。【解決手段】本発明は輸送船コンテナのドアが非合法に開かれて不正が加えられたことを検知する方法と、勤務中の巡回警官が安全に、指定された経路を巡回していることを確認するための方法とを提供する。作動ユニットがあるため、このユニットに接近したり、このユニットから離れたりすると、信号を送信するように作動するタグが用いられる。輸送船コンテナを保護するために、タグを検出器の構成要素の一部とする。検出器はデータを記憶すると共に送信もする。データはコンテナのドアの開閉によって変化する。施設を保護するために、巡回警官はそれぞれの保持するタグを作動させ、制御管理室に信号を送信する。これにより巡回警官がそのスケジュールに従ってタグからタグへと移動していることが確認できる。
2006520507.tif 000002
【特許請求の範囲】
【請求項１】
防犯性を高めるための方法であって、
保護されるべき領域全体にタグを分散するステップと、
タグ読取機を前記領域に持って行くステップと、
読取機がタグから受信した信号を、遠隔位置にダウンロードするステップを含み、
各前記タグが識別信号を伝送し、前記読取機がタグにより伝送された信号を受信する方法。
【請求項２】
前記タグは、その識別信号を無線周波数で送信することを特徴とする請求項１に記載の方法。
【請求項３】
前記読取機は、無線周波数で遠隔位置に伝送することを特徴とする請求項１または２に記載の方法。
【請求項４】
前記各タグにより伝送された信号は、タグのステータスを示すデータを含むことを特徴とする請求項１、２、または３に記載の方法。
【請求項５】
前記伝送されたデータを示すステータスは、記憶されたデータと比較され、タグのステータスに変化があったかどうかの判定がなされることを特徴とする請求項４に記載の方法。
【請求項６】
前記読取機は、前記領域を巡回する巡回警官によって保持され、各タグからの信号は巡回警官が通過すると、読取機によって受信されて前記遠隔位置に伝送され、これにより巡回警官の進捗状況が追跡されることを特徴とする請求項１ないし３のいずれか１つに記載の方法。
【請求項７】
前記領域は輸送コンテナを内部に設けているものであり、前記タグは前記輸送コンテナにとりつけられ、前記タグが取り付けられた前記コンテナのドアが開けられると、前記データは変化し、そのタグからの前記信号を読み取ることで、ドアが承認されずに開けられたかどうかを検出することが出来ることを特徴とする請求項４または５のいずれか１つに記載の方法。
【請求項８】
輸送コンテナのドアが開けられたかどうかを判定する方法であって、前記方法は、
輸送コンテナの構成品の１つにタグをとりつけるステップと、
前記輸送コンテナの他の構成品と共に動くタグ操作手段が存在することと、
前記構成品は、前記輸送コンテナの前記ドアが開いている間、互いに相対的に動くものであることと、
ドアが閉鎖し前記構成品がともに動いた際、前記タグ上の信号を記憶するステップと、
ドアが開いている間、前記タグおよびその操作手段が離されて、前記記憶された信号を変化させるステップと、
前記ドアが合法的に閉鎖された時刻に、前記タグ内に記憶された前記信号をダウンロードするステップと、
前記ドアが合法的に開かれる前に、前記タグ上の前記記憶された信号にアクセスし、前記信号が非合法なドアの開放によって変化していないことを照合するステップ、を含む方法。
【請求項９】
方法であって、タグ操作機器を輸送コンテナの他の構成品にとりつけるステップをさらに含むことを特徴とする請求項８に記載の方法。
【請求項１０】
方法であって、前記タグまたは機器を前記構成品の１つを構成するハンドルに装着するステップをさらに含み、前記ハンドルは前記輸送コンテナを開錠するために動き、前記１つの構成品が開いている間の動きに関して、構成品には、さらに、前記機器またはタグを装着することを特徴とする請求項９に記載の方法。
【請求項１１】
前記タグおよび機器は、一方が前記ドアに、もう一方が前記コンテナの枠に装着されたもので、前記コンテナドアが開かれると、前記機器およびタグが離れることを特徴とする請求項９に記載の方法。
【請求項１２】
前記タグ内に記憶された信号を定期的に、無線周波数で伝送するステップをさらに含むことを特徴とする請求項８ないし１１のいずれか１つに記載の方法。
【請求項１３】
前記タグ内に固有のタグ識別信号を記憶し、かつ前記タグ内に記憶された前記固有の識別信号を定期的に、無線周波数で伝送するステップをさらに含むことを特徴とする請求項１２に記載の方法。
【請求項１４】
巡回警官の進捗状況を監視する方法であって、
前記巡回警官の経路に沿ってタグを分散するステップと、
前記巡回警官に読取機を提供して、前記タグおよび前記読取機のいずれかが近傍に置かれた際に前記識別信号を受信するステップと、を含み、
各タグは固有の識別信号を伝送し、前記読取機により受信された前記タグ識別信号を制御管理室に伝送することで、タグからタグへ前記巡回警官の進捗状況を監視させる方法。
【発明の詳細な説明】
【技術分野】
【０００１】
本発明は防犯を提供するための方法および手段に関する。
【背景技術】
【０００２】
高度なテロ行為が増加してきた現在、防犯担当者を脆弱な防犯区域に配置し、破壊行為が行なわれる前に、これら区域の防犯を強化する努力が必要である。船舶、特に貨物を運搬する輸送コンテナ船は、潜在的なリスク領域として認識されてきた。
【０００３】
コンテナ化によって世界中に１４００万隻程度の輸送コンテナ船が存在するようになったと結論付ける専門家もいる。コンテナ化の本質は、輸送コンテナが船積みされると、物品は出荷された時点で施錠されて、目的地に着くまで再度開かれることが無いということにある。主要港では年間何十万規模ものコンテナが取り扱われている。割合にすると極めて少数のコンテナしか検査されていないことになる。
【０００４】
このことがテロの脅威に成り得ると言う専門家もいる。これら専門家の仮定するシナリオは、コンテナが閉鎖されて、合法的に開かれるまでのいずれかの時点で、コンテナが、非合法的に開かれ、生物兵器、化学兵器または他の兵器がコンテナ内に隠され、このコンテナが再度閉鎖されるというものである。ここで意図された目的は、人のいる地域で兵器を開放するとことであり、さらなる目的は商業的な活動を妨害することである。
【発明の開示】
【発明が解決しようとする課題】
【０００５】
本発明はその態様のうちの１つにしたがって、輸送コンテナ船に対して非合法な不正行為がなされたかどうかを判定する方法を提供する。
【０００６】
建物および施設建築、特に機密情報にまつわる材料を内部に抱える研究施設もまた、テロ行為の対象である。このような施設は高度な防犯システムを有する。このようなシステムをもってしても、巡視は未だに必要であると考えられており、巡回警官がこれら施設内を動き回って、非合法活動の形跡を探っている。
【０００７】
必要性に対する疑問が起こっているが、これは巡回警官が実際に必要とされているように巡回しているのか、あるいは静かな時間帯は警官が巡回頻度を抑えるか、または全く巡回していないのではないか、というものである。これについては、巡回のシステムが初期の目的を達成するように実行されているかどうか、を監視する必要がある。
【０００８】
適切な巡回監視システムに対するさらなる要求として、制御管理室の人々が施設の周囲を巡回する巡回警官の動きを認識すべきだ、というものがある。巡回警官が制御管理室を離れた後、再び制御室に戻ってくるまでの間に起こった出来事を、介在情報無しに甘受する事はできない。
【０００９】
現行の巡回活動監視システムを考慮した場合、現行システムが上述の要求を満たしていない方法である、ということが理解できるだろう。
【００１０】
最も容易なシステムは、巡回警官が制御管理室を離れ、その後、戻って来るというものである。この場合、巡回警官が何処に行ったのか、または受け持ちを完了したかどうかの記録が残らない。また、侵入者に遭遇し、動けない状態にされていることを知る方法として、戻るべき時間に戻っていないことで気付く、という方法しかない。侵入者は警報が発せられるまでの間、自由に動き回ることができるため、このようなシステムにおける時間の遅れを見過ごすことは出来ない。
【００１１】
巡回警官がその受け持ちを完了することを確実なものにするため、シンプルな既知のシステムでは、巡回経路に沿って一連の箱を設置する必要がある。各箱には次の受け持ち区域への鍵を内蔵している。各箱を開くことにより、ひいてはその中に入っている鍵を取り出すことによってのみ、巡回警官は受け持ちが完了したことを示す最後の鍵を得ることができる。このシステムの不備は、問題をリアルタイムで検出できない点である。巡回警官が戻る時間になっても戻らない時に初めて問題があったことに気付く。
【００１２】
他のシステムでは、タグを巡回経路に設け、巡回警官はこれを読み取る読取機を保持する。この読取機をタグの近傍に持ってくると、タグが読取機に記録される。少なくとも理論的には巡回警官が戻ると、その受け持ちが全て完了したことを示す情報が、読取機からダウンロードされることになっている。実際には、最初の巡回でタグを集め、最後の巡回で戻すことも可能である。その間の巡回は制御管理室を離れることなく、巡回の完了を示す情報を、集められた情報の上に記録する。適切に導入されたとしても、このシステムもまた上述された問題である時間経過の点で欠点を有する。
【課題を解決するための手段】
【００１３】
本発明の他の態様では、勤務中の巡回警官により行なわれる巡視の詳細を確認するための方法および手段を提供する。
【００１４】
本発明の一態様にしたがうと、防犯性を高めるための方法が提供される。係る方法においては、まず保護されるべき領域全体にタグを分散する。各タグは識別信号を伝送する。タグ読取機を領域に持って行くと、読取機はタグから伝送された信号を読み取る。次いで、読取機から遠隔位置に、読取機がタグから読み取った信号をダウンロードする。
【００１５】
タグにより伝送された信号は無線周波数信号であることが好ましい。
【００１６】
同様に、読取機は無線周波数で送信することが好ましい。
【００１７】
各タグにより伝送された信号は、タグのステータスを示すデータであってもよい。
【００１８】
具体的な形態では、伝送されたデータを示すステータスは保存されたデータと比較され、タグのステータスにおいて変化があったかどうかに関して判定がなされる。
【００１９】
さらなる形態では、巡回警官は係る領域を巡回する際に読取機を携帯しており、各タグからの信号は、巡回警官が通過した際に読取機によって読み取られ、遠隔位置に伝送されて、巡回警官の進捗状況が追跡される。
【００２０】
輸送コンテナを有する場合もまた、このような領域と考えられ、輸送コンテナにタグがつけられてもよい。タグがつけられ開かれる輸送コンテナのドアごとにデータが変えられ、タグからの信号が読み取られると、許可なしにドアが開放された事が検出される。
【００２１】
本発明のさらなる態様によると、輸送コンテナのドアが開けられたかどうかを判定するための方法が提供される。係る方法では、輸送コンテナの構成品のひとつにタグを取り付けるが、輸送コンテナの他の構成品とともに移動する様なタグ操作手段がある。構成品は輸送コンテナのドアを開いている間は相対的に移動し、ドアが閉まると今度はこれらの構成品と共に移動して、タグ上の信号を記憶する。ドアが開かれている間、タグおよびタグの操作手段が分離され、これらの記憶された信号を変化させる。ドアが合法的に閉鎖されると、タグ内に記憶された信号をダウンロードする。ドアが合法的に開かれる前に、タグ上の記憶された信号は、この信号が非合法なドアの開放によって変えられていないことを照合する。
【００２２】
係る方法は、タグ操作機器を輸送コンテナの他の構成品に取り付けるためのさらなるステップを含んでもよい。
【００２３】
本発明は、タグまたは機器を、構成品の一つを構成するハンドルに取り付けるステップを含んでもよく、係るハンドルは輸送コンテナを開けるために動かされ、操作中に係る構成品の一つが動くことに関して、機器またはタグをさらなる構成品にとりつける。
【００２４】
本発明の方法の他の形態においては、タグおよび機器は、一方が係るドアに取り付けられ、もう一方がコンテナの枠に取り付けられており、このため、コンテナのドアが開くと、機器およびタグは分離される。
【００２５】
連続的に監視を行なうためには、この方法もまた、定期的に、無線周波数で、タグに記憶された信号を伝送するステップを含んでいる。方法は、タグ内に固有の識別信号を記憶させ、定期的に、無線周波数で、タグに記憶された固有の識別信号を伝送することを含んでもよい。
【００２６】
本発明の方法の他の形態によると、巡回警官の進捗状況を監視する方法が提供されている。この方法は、巡回警官の経路に沿ってタグを分散する際に、各タグが固有の識別信号を伝送し、タグを受け取る際に任意の識別信号を受け取るための読取機を巡回警官に提供し、係る読取機は極めて近接に配置され、読取機により受信されるタグ識別信号を制御管理室に伝送することで、巡回警官の進捗状況は、タグからタグへ監視されるようになることを含む。
【発明を実施するための最良の形態】
【００２７】
まず図１を参照すると、参照番号１０は輸送コンテナを示し、その二重扉１２は輸送コンテナ内部へのアクセスを必要とする。ドア１２は外部端部に沿って１４で蝶番され、一方が開けられて示される。ドア施錠機構は１６に示され、操作ハンドル１８を含み、施錠ボルトを外すために用いられる。ハンドル１８はコンテナが積載された後に密封用シーリング構造により固定される。
【００２８】
タグが２０で示されているが、このタグはコンテナの枠組みに固定されており、ドア１２が閉鎖されると隠される。タグ操作機器は２２で示されているが、これはついでドアに取り付けられている。さらに、タグはハンドル１８に、次いで、操作機器ハンドルに近接するドア１２に取り付けられてもよい。タグおよび機器は、ハンドル上で施錠された位置から開錠された位置に対して適当に離され、タグを操作する。
【００２９】
適切なタグ２０は、Ｗａｖｅｔｒｅｎｄ  ＵＫ  Ｌｔｄから入手可能であり、技術的な情報はそのウェブサイトｗｗｗ．ｗａｖｅｔｒｅｎｄ．ｎｅｔ上で得られる。
【００３０】
タグは無線周波数伝送器と、この伝送器用の内部電源とを含む。これらはそれぞれ固有の識別番号を有し、タグの起動後、連続的に伝送される。タグの起動は製造工程の最後でなされる。タグは固有の識別番号を、あらかじめ決められた間隔で伝送する。この間隔は極めて短く、数ミリ秒であってもよい。伝送範囲は数メートルである。
【００３１】
前記固有の識別番号に加えて、タグはまた、さらなる番号を有する。この番号は、タグおよび操作機器が操作される度ごとに増加する。例えばタグは、例えばリードスイッチなどの、磁石によって操作されるスイッチを含んでもよく、操作機器は磁石を含んでもよい。
【００３２】
固有番号の伝送に加え、タグは内在する増加した番号を伝送する。
【００３３】
本発明に応じてタグおよびタグ操作機器が上述されたが、これらは輸送コンテナの任意の２つの構成品に取り付けられ、これらの構成品はコンテナのドア１２が開かれると、互いに対して相対的に移動する。
【００３４】
制御側コンピュータに情報を送るのに、ハンドヘルド読取機を用いることが可能で、この読取機はタグの近傍に置かれ、読取機の情報をコンピュータにダウンロードする。例えば、記憶された番号および固有の番号は、無線周波数で衛星または他の通信システムを介して読取機から制御側コンピュータに伝送されてもよい。
【００３５】
コンテナが目的地に到着すると、タグが走査され、記憶された固有の番号および増分された番号がダウンロードされて、このダウンロードされた増分番号と、制御側コンピュータ内に記憶された増分番号との比較がなされる。これらの番号が合致すれば、コンテナは非合法的に開かれなかったということであり、あるいはこれらの番号が合致しない場合は、輸送中にドアが開かれたということである。
【００３６】
上述されたように、記憶された番号はいずれも、あらかじめ決められた間隔でタグにより伝送され、これらの伝送部は読取機で受信されて、船上でコンピュータ内部に記憶される。間隔（ｉｎｔｅｒｖａｌ）時に受信された番号は、記憶された番号同士を比較するために、衛星リンクにより制御側のコンピュータに伝送されてもよい。このようにして、不正がなされた際に早期の警告がなされ得る。
【００３７】
前記システムが実行され得る実際的な態様について、以下に説明する。
【００３８】
船舶の出荷明細書は全ての輸送コンテナ船の番号を記録し、番号は特定の港で読み込まれる。積載されるべき輸送コンテナ一覧が完了すると、情報が制御側のコンピュータに伝送される。前記コンテナにつけられたタグは（損傷を受けた場合を除き）永久縦続的に、そのコンテナにつけられたままとなり、制御側のコンピュータはコンテナ番号を識別するタグと相関させることが可能となる。貨物が正しく積載され、点検されたことを確認する役割がハンドヘルド読取機に与えられる。読取機はタグ読取機自体と、これに加えて、データの送受信を可能にする送受信装置とを含む。
【００３９】
船舶は認証コードを有する。操作者がこのコードを読取機に入力し伝送すると、積載されるべき輸送コンテナの完全な詳細がダウンロードされる。
【００４０】
輸送コンテナ上のタグは全てその「増分された」番号を送信する。
【００４１】
係る番号はコンテナが最終的に開かれて、再度最終的に閉鎖されると、リセットされる。タグ上の増分番号はこのときは知らされない。読取機を適切なモードに設定することにより、船上の装荷用にリストされたタグにより伝送された増分番号が受信され、かつタグ番号および輸送コンテナ番号に対して読取機に記憶される。
【００４２】
全ての前記増分番号がログされると、読取機はコンテナ番号、タグ番号、増分番号を制御側コンピュータに伝送する。増分番号がタグに対して記録されない場合には、関連するコンテナは積載されていなかったか、またはそのタグの不具合であった可能性があることを理解されたい。
【００４３】
コンテナを開けることにより増分番号は変化する。
【００４４】
この変化は、船上の輸送コンテナのタグが走査される際に検出されてもよい。走査は航海途中に間隔を空けてなされることが好ましいが、船の入港の際になされてもよい。
【００４５】
図２は、境界壁Ｗと、施設の入り口Ｅに制御管理室Ｃと、施設中および巡回警官が通るべき経路に沿って分散された複数のタグＴとを含む施設を、模式的に示したものである。施設内の建物は所定のＢ１、Ｂ２その他およびロードシステムＲ１、Ｒ２その他である。タグＴは、増分されうる番号を必要としないという点を除いて、上述されたものと同様である。
【００４６】
巡回警官はタグ読取機を保持するが、これはタグの近傍に位置すると、タグにより伝送された固有の番号を読み取る。読取機は制御管理室へ、タグが読み取られたことを示す信号を送信する。制御管理室Ｃには、読取機により伝送された信号を検出するための受信器がある。
【００４７】
制御管理室内にいる人々はリアルタイムで、読取機が各タグから信号を受信するので、巡回警官の進捗状況をタグからタグへと追うことができることを理解されたい。予期された、一連の連続するタグからの読取が受信されないような場合には、時間の遅延は最小限で、調査を必要とする状況が起こったことを制御装置が認識する。
【図面の簡単な説明】
【００４８】
本発明をよりよく理解するために、かつ同様の形態が以下に実際に使用されうるかを示すために、例により添付された図面を参照する。
【図１】輸送コンテナの一端部を示すダイアグラムによる透視図である。
【図２】施設建築のダイアグラムによる平面図である。
【符号の説明】
【００４９】
１０  輸送コンテナ
１２  二重扉
１４  蝶番
１６  ドア施錠機構
１８  操作ハンドル
２０  タグ
【図１】
2006520507.tif 000003
【図２】
2006520507.tif 000004
【国際調査報告】
2006520507.tif 000005
2006520507.tif 000006
2006520507.tif 000007